(57)【特許請求の範囲】
【請求項１】
並置された少なくとも第１領域および第２領域で構成される背景を有する有価証券、特に銀行通帳のための安全図面において、前記領域は、各々、幾何学図で構成され、第１領域は第２領域よりも強い色彩濃度を有し、第２領域は模様を形成し、第２領域上にその模様に対応するオーバープリント（２０）が重ね合わされ、かつ前記オーバープリント（２）は第２領域とは異なる幾何学図、および第１領域と第２領域間の色彩濃度差を補償するために選択された色彩で構成されていて、それにより安全図面は均質かつ無模様に裸眼に写るが、安全図面の写真コピー上では前記模様が第１領域と異なる色彩で明らかに露顕することを特徴とする、有価証券のための安全図面。
【請求項２】
前記色彩濃度の強い領域は異なる方向へ平行に斜角配置して印刷された線の群（１１ａ，１１ｂ）から成り、他方の領域は複数の曲線（１２）または直線から成り、かつ前記オーバープリント（２０）は複数の直線または曲線から成り、そのオーバープリントの線は重ね合わせた前記色彩濃度の弱い領域の線と交差していることを特徴とする、請求項１の安全図面。
【請求項３】
前記線群および前記直線ならびに曲線は閉鎖幾何学領域（１１）に配置されていることを特徴とする、請求項２の安全図面。
【請求項４】
前記色彩濃度の弱い領域の曲線は渦巻線であり、かつ前記オーバープリント（２０）の線は直線であることを特徴とする、請求項２または３の安全図面。
【請求項５】
第１方向に配向した線（１１ａ，１１ｂ）の角度は約２２．５°であり、第２方向に配向した線の角度は約６７．５°であり、かつ前記オーバープリント（２０）の線の角度は約４５°であり、これらの値のマージンは±２０％であることを特徴とする、請求項２から４のいずれか１の安全図面。
【請求項６】
前記安全図面は第３方向に配向された平行線で構成される領域（１１ｃ）を含み、かつ第３方向の角度は約１１２．５°であり、±２０％のマージンを有することを特徴とする、請求項２から５のいずれか１の安全図面。
【請求項７】
前記直線の幅は約９０μｍであり、かつ同一領域の線間の間隔は各線の中心から約３５０μｍであり、±２０％のマージンを有することを特徴とする、請求項２から６のいずれか１の安全図面。
【請求項８】
前記曲線の幅は約４１μｍであり、かつ各曲線間の間隔は各線の中心間で約２５０μｍであり、約±２０％のマージンを有することを特徴とする、請求項２から７のいずれか１の安全図面。
【請求項９】
前記オーバープリント（２０）の色彩濃度は約０．１０から０．３００である、請求項１から８のいずれか１の安全図面。
【請求項１０】
前記領域（１１）は三角形、または矩形、または多角形、または円形等である、請求項３から９のいずれか１の安全図面。
【請求項１１】
前記幾何学図は異なる色彩で構成され、かつ前記オーバープリント（２０）は複数の色彩で構成されていることを特徴とする、請求項１から１０のいずれか１の安全図面。
【請求項１２】
請求項１から１１による安全図面を少なくともその一面側に有することを特徴とする重要証書。
【請求項１３】
次の工程から成ることを特徴とする有価証券、特に銀行通帳上へ安全図を印刷する方法：
−並置された少なくとも第１領域および第２領域で構成される背景を第１印刷版により印圧し、その各領域は別個の幾何学図で構成され、第１領域が第２領域よりも強い色彩濃度を有し、第２領域が模様を形成する、かつ
−第１領域と第２領域間の色彩濃度の差違を補償するために選択された色彩で第２領域上に重ね合わせるオーバープリントを第２印刷版により印圧し、それにより前記安全図面を均質かつ無模様に裸眼に写るようにするが、前記安全図面のフォトコピー上では前記模様が第１領域と異なる色彩で明らかに露顕するようにする。
【請求項１４】
前記印刷版は色彩の異なる複数の版面であることを特徴とする、請求項１３の方法。
【請求項１５】
本印刷方法はオフセット印刷法または凹版印刷法によることを特徴とする、請求項１４の方法。
【発明の詳細な説明】
【０００１】
【発明の属する技術分野】
本発明は有価証券、特に紙幣または銀行通帳、安全図を有する有価証券のための安全図面および有価証券上にかかる安全図を印刷する方法に関する。
【０００２】
【従来の技術】
有価証券の製造において実際に生じる大きな問題の１つは、古典的印刷技術によって銀行通帳上に転写することが容易であると同時に特に新世代のカラー複写により再生することが困難または寧ろ不可能である安全要素を設計することである。これらの技術は著しく改良されており、例えば真正有価証券または銀行通帳からの模造通貨等のカラーコピーを極めて容易に識別できるように安全図を具現化させることが不可欠になっている。
【０００３】
カラーコピーによる有価証券の偽造を防止するための安全図面の使用については従来既知である。例えば、本出願人によるＥＰＡ，ＥＰ０３８４８９７は主として３重刷り図面で構成される安全要素を開示し、各図は異なる色で構成されかつ複数の平行斜線を含み、かつ各図の線は横にオフセットして、各図が並列配置されたときにその線が重ならず均質背景を有する印象を与えるものである。各安全要素は、更に、複数線によるセグメントが平行斜線の配向と異なる配向を有して不連続となるような領域を含む。これらの領域は、事実上、複数の線図を重ねたときに裸眼では殆ど見分けられないが、反対にその安全要素の複写を作るときには明らかに露顕される文字に精確に対応する。従って、所定用紙がそのような安全要素から成る場合、かかる用紙が原本であるか複写であるかを直ちにかつ極めて容易に確定できる。
【０００４】
【発明が解決しようとする課題】
本発明は従来技術から知られた安全要素を改良することを課題とする。特に、真正有価証券上から裸眼による見分けができないまたは殆どできない安全模様であって、隠された色彩模様がその有価証券のカラーコピー上、かつ新世代の複写機により複写されたフォトコピー上には明らかに開示される安全模様から成る安全要素を設計することにある。
【０００５】
【課題を解決するための手段】
上記課題は請求項１による安全図面により達成される。
即ち、並置された少なくとも第１領域および第２領域で構成される背景を有する有価証券、特に銀行通帳のための安全図面において、前記領域は、各々、幾何学図で構成され、第１領域は第２領域よりも強い色彩濃度を有し、第２領域は模様を形成し、第２領域上にその模様に対応するオーバープリントが重ね合わされ、かつ前記オーバープリントは第２領域とは異なる幾何学図、および第１および第２領域間の色彩濃度の差違を補償するために選択された色彩で構成されていて、それにより安全図面は均質かつ無模様に裸眼に写るが、安全図面の写真コピー上では前記模様が第１領域と異なる色彩で明らかに露顕することを特徴とする。
【０００６】
本発明の原理は図面の背景が複数の直線および曲線で構成される２つの領域で作成され、両領域は異なる色彩濃度を有すると共に、弱い色彩濃度の領域は模様を形成することに基本を置く。この安全図面は、更に、両領域間の色彩濃度の差を補償するために色彩濃度の弱い方の領域上に印刷された模様に対応しかつ選択された色彩のオーバープリントを含み、そのようにして隠れた色模様を形成し、それにより安全図面が裸眼には均一かつ無模様に写るが、安全図面のフォトコピー上では強い色彩濃度の領域と異なる色彩の前記模様が露顕する。
【０００７】
作用として、フォトコピー上で、濃度および色相（ｓｈａｄｅｓ）の異なる色の組み合わせはフォトコピーの走査に干渉を与える。背景図面と模様間のコントラストは強力に増幅され、模様がフォトコピー上に明らかに露出しかつ安全図面の残余の色彩とは異なる色彩で表出し、かかる偽造を裸眼に対して明白にしかつ原本からのフォトコピーを容易に識別させる。
【０００８】
請求項２から１１は本発明による安全図面の特定形態を説明する。
即ち、前記色彩濃度の強い領域は異なる方向へ平行に斜角配置して印刷された線の群から成り、他方の領域は複数の曲線または直線から成り、かつ前記オーバープリントは複数の直線または曲線から成り、そのオーバープリントの線は重ね合わせた前記色彩濃度の弱い領域の線と交差しているのが好ましい。
【０００９】
前記線群および前記直線ならびに曲線は閉鎖幾何学領域に配置されていてよい。
前記色彩濃度の弱い領域の曲線は渦巻線であり、かつ前記オーバープリントの線は直線であってよい。
第１方向に配向した線の角度は約２２．５°であり、第２方向に配向した線の角度は約６７．５°であり、かつ前記オーバープリントの線の角度は約４５°であり、これらの値のマージンは±２０％であってよい。
【００１０】
前記安全図面は第３方向に配向された平行線で構成される領域（１１ｃ）を含み、かつ第３方向の角度は約１１２．５°であり、±２０％のマージンを有するものであってよい。
前記直線の幅は約９０μｍであり、かつ同一領域の線間の間隔は各線の中心から約３５０μｍであり、±２０％のマージンを有していてよい。
【００１１】
前記曲線の幅は約４１μｍであり、かつ各曲線間の間隔は各線の中心間で約２５０μｍであり、約±２０％のマージンを有していてよい。
前記オーバープリントの色彩濃度は約０．１０から０．３００であるのが好ましい。
前記第１領域および第２領域、または前記閉鎖幾何学領域は三角形、または矩形、または多角形、または円形等であってよい。
【００１２】
前記幾何学図は異なる色彩で構成され、かつ前記オーバープリントは複数の色彩で構成されてよい。
このようにして構成される隠れた色模様または線図は「Ｘ」等の文字または記号、または「ＶＯＩＤ」または「ＣＯＰＹ」等の単語を形成する文字の組合せであるのが好ましい。同様に、模様または線図は１つまたは複数の数字、更にはその他の模様で構成されてよい。
【００１３】
請求項１２は本発明による安全図面を少なくともその一面側に有することを特徴とする重要書証を提供する。
かかる安全図面の使用は当然ながら有価証券または銀行通帳等の有価証書に限らない。実際に、この安全図面はクレジットカード等、小切手、または切手等のカードに使用できる。現実に、かかる図面は、フォトコピー等の手段による模造防止が所望されるいずれの印刷媒体にも利用できる。
【００１４】
請求項１３は本発明による安全図面から成る有価証券等を製造する方法を特定する。
本発明による有価証券等へ安全図を印刷する方法は、並置された少なくとも第１領域および第２領域で構成される背景を第１印刷版により印圧し、その各領域は別個の幾何学図で構成され、第１領域が第２領域よりも強い色彩濃度を有し、第２領域が模様を形成する；かつ第１領域と第２領域間の色彩濃度の差違を補償するために選択された色彩で第２領域上に重ね合わせるオーバープリントを第２印刷版により印圧し、それにより安全図面を均質かつ無模様に裸眼に写るようにするが、安全図面のフォトコピー上では前記模様が第１領域と異なる色彩で明らかに露顕するようにする。
【００１５】
前記印刷版は色彩の異なる複数の版面であってよい。また、印刷方法としてオフセット印刷または凹版印刷が利用できる。
【００１６】
【発明の実施の形態】
以下に、本発明の原理を示す添付図面を参照して本発明の実施形態により本発明を説明する。
本発明の原理を白黒フォトコピーで証明することは困難であるので、図４として本発明を示すカラー写真、図５としてそのカラーコピーが添付されている。
【００１７】
図１において、ヨーロッパ特許出願、ＥＰ０３８４８９７による従来技術の安全要素が示されている。３つの異なる色彩を有する３図が平行かつ稠密の線から成る結合図１として重合されており、均一背景の印象を与える。この安全図面は領域２，３，４で構成され、複数の平行線領域は背景線の全体的方向と異なる方向に配向し、これらの平行領域は「ＶＯＩＤ」の単語を構成する複数文字の形態を採る。この図は安全図面の拡大コピーであり、この単語は図面上容易に認識されうる。この安全図面の実際の寸法を仮定すれば、これらの単語は原図上識別が非常に困難であることが理解されるであろう。他方、全ての線は直線または直線の一部である。
【００１８】
図２は本発明による安全図面の背景１０を示し、安全図面に隣接して分離したオーバープリント２０は十文字形であって、このオーバープリント２０は背景１０上に印刷される。色彩の色相（ｓｈａｄｅｓ）は当然ながらフォトコピーで示すことが困難であるがこのモデルは一例である。
安全図面の背景１０は複数の領域に分割されており、各領域は相互に交互に配置された三角形幾何学領域１１から成る。この例において、複数線による異なる形状で構成される３タイプの領域が存在する。第１タイプの領域１１は、単に、平行直線で構成される。第１形態を構成するこのタイプの直線間において、第１方向に斜角に配向した複数の直線で構成される領域１１ａ、第２方向に斜角に配向した複数直線で構成された領域１１ｂ、および第３方向へ斜角に配向した複数直線による領域１１ｃが識別されうる。この背景は、更に、螺旋形の複数の曲線で構成された第２タイプの領域１２、および複数直線を平行に斜角に配向した部と渦巻線の部との混合領域で構成される第３タイプの領域を含む。直線および渦巻線の印圧は重ね合わせて印刷されるオーバープリント２０に対応する模様を形成するように行われ、図示例において模様は「Ｘ」を表示する。
【００１９】
この実施形態のオーバープリント２０は、例えば４５°の所定角方向に配置される複数の平行線により「Ｘ」の形状に構成される。背景上へのオーバープリント２０の印刷時に、直線および曲線の重ね合わせは、色彩の重ね合わせが濃度差を補償すると同様に効果的に生じる。
背景およびオーバープリントの平行線の配向角度は重要であり、背景が少なくとも異なる２方向へ配向する線を有し、かつオーバープリントの線がその２方向と異なる方向へ配向することが重要であ。好適には、平行線は約２２．５°と６７．５°に傾斜し、かつオーバープリントの線は約４５°に傾斜する。背景が第３方向に配向する線を含む場合、選択される角度は好適には１１２．５°である。これらの値のマージンは約±２０％である。
【００２０】
平行に印刷される直線、渦巻線、およびオーバープリント２０の直線の幅は、同様に可変である。約１５μｍから１００μｍの範囲で変化する。好適には、平行に印刷される線は約８２．５５μｍの幅を有し、かつ曲線は約４１．２７５μｍの幅を有する。更に、オーバープリントの線は約４１．２７５μｍの幅を有するのが好ましい。これらの値のマージンは約±２０％である。
【００２１】
各印刷した線の隣接する２本の線の中心間の間隔、所謂ピッチは約１００μｍから８００μｍの範囲で変化する。選択値は背景およびオーバープリントとして所望する均一性に依存する。好適には、この間隔は背景の平行線について約３４９．２５μｍ、オーバープリントについて約２４７．６５μｍ、および曲線について約２５０μｍである。これらの値は約±２０％のマージンを有する。
【００２２】
重ね合わせて印刷されるオーバープリントの色彩濃度は約０．０１０から０．３００である。
線を含む背景のそれぞれの領域は幾何学形状、例えば三角形、多角形、矩形、円形等で構成されてよい。
図３において、幾何学図の拡大図は領域１１および１２を示す。領域１１ａ、１１ｂ、１１ｃの方向に対応する３方向に配向する平行線の一部と領域１２に対応する渦巻線の一部が示されている。
【００２３】
図４は背景に重ね合わせて印刷された「Ｘ」形模様を有する本発明による安全図面のカラー写真である。この安全図面の背景は図２の実施形態の背景１０に対応し、それぞれ異なる方向に配向した線で構成された交互に反対向きの三角形領域、および図２について説明したオーバープリント２０に対応する模様を有する。この写真上、隠れた色彩の模様は背景と区別することが困難であり、その表面上一見均一の外観を呈する。
【００２４】
図５において、図４の安全図面のカラーコピーが表されている。このカラーコピー上、隠れた色彩の模様は安全図面において明らかに際立ち、一見して、背景と模様間の色彩の差違およびコントラストは識別できる。
本発明による安全図面は、乾式または湿式オフセット印刷、凹版印刷、またはそれらを組み合わせた伝統的印刷法により形成される。オフセット印刷の場合、背景用とオーバープリント用のために少なくとも２つの版が必要である。これらの版は、当然ながら、他の付加的模様を含んでよく、かつオフセット版シリンダ上に取付けられる。その後、安全図面は用紙上に転写するためにブランケットシリンダ上に移送される。かかる多色オフセット印刷法は例えばヨーロッパ特許、ＥＰ  Ｂ００９２８８７およびＥＰ  Ｂ０１３２８５８に開示されている。
【００２５】
異なる印刷法の組み合わせによる印刷の場合、例えば背景の印刷に凹版印刷、そしてオーバープリントの印刷にオフセット印刷が採用できる。
本発明による安全図面の有価証券または銀行通帳上への印刷法は少なくとも次の工程を含む：
−並置された少なくとも第１領域および第２領域で構成される背景を第１印刷版で印圧し、各領域は独自の幾何学図で構成され、第１領域が第２領域よりも強い色彩濃度を有し、第２領域が模様を形成する、
−第１領域と第２領域との間の色彩の濃度差を補償するために第２領域上に重ね合わせる選択された色彩のオーバープリントを第２印刷版により印圧し、それにより安全図面が裸眼に均質かつ無模様と写るようにするが、安全図面のフォトコピー上では前記模様が第１領域と異なる色彩で明らかに露顕するようにする。
【００２６】
上記安全図面の色彩数は増加させることができる。例えば、背景の幾何学図は異なる色彩であってよく、かつオーバープリントは複数色で形成できる。この場合、印刷版の数は同様に結果的に増加する。
本発明は上述の実施形態に限定されず、他の形態が特許請求の範囲において可能である。
【００２７】
例えば、オーバープリントに渦巻線を印刷し、背景を異なる方向に配向した平行線のみで構成することができる。直線と曲線を交互に繰り返して同一効果を得ることができ、かつ本発明の原理が再現できる。
幾何学領域の他の形態として、例えば、多角形、円形、または他の形態が採用できる。
【００２８】
渦巻線の代わりに、曲線として同心円形、楕円形、波形等が使用できる。
【図面の簡単な説明】
【図１】従来技術による安全図面を示す。
【図２】白黒による安全図面の背景およびＸ形の模様、ならびに隠れた線図を分離して示した本発明による実施例を示す。
【図３】背景の幾つかの幾何学模様の拡大図を示す。
【図４】本発明による「Ｘ」形模様を有する安全図面のカラー写真である。
【図５】図４の写真のカラーコピーである。
【符号の説明】
１０…背景
１１…幾何学模様領域
１２…曲線領域
２０…オーバープリント
【図１】
0004260926.tif 000002
【図２】
0004260926.tif 000003
【図３】
0004260926.tif 000004
【図４】
0004260926.tif 000005
【図５】
0004260926.tif 000006